(57)【要約】      （修正有）【課題】  釣り人がどこにいても、また自己の竿に魚信があったときだけ、魚信を知らせる方法を提供する。【解決手段】  釣竿本体１の取り付けられたセンサにより発信器が電波を発信し、その電波を受信機が受信し釣り人に知らせる魚信送受信装置において、センサは台座の中心部に垂直に固着された固定軸を取り巻くように螺旋状の振動片が設けられ、振動片が固定軸と接触して発生する信号が発振器を駆動して電波を発信し、又は第２の手段として、リール８の近傍に道糸が張架されたアームが設けられ、支点を挟んで道糸３と反対側のアーム９に連結されたセンサが設けられ、魚信が発生したときにみち糸により生ずるアームの振動をセンサが感知すると、発振器Ｂにあらかじめ与えられた固有の符号に対応するパルスコード列にエンコードされ電波を発信し、受信機は無線信号を受信して、あらかじめ与えられた符号と一致したときのみ、釣り人に魚信信号を表示する。【選択図】  図５
2005058197.tif 000002
【特許請求の範囲】
【請求項１】
釣竿本体（１）の任意の位置に取り付けられたセンサ（ＳＮＣ）が魚信を感知したときに、発振器（ＯＳＣ）が無線電波を発信し、受信機（ＲＥＣ）が該無線電波を受信したときに釣り人に可聴信号または可視信号を表示する魚信送受信装置において、センサ（ＳＮＣ）は台座（４）の中心部に垂直に固着された固定軸（５）を取り巻くように螺旋状の振動片（６）が設けられ、魚信により振動片（６）が固定軸（５）と接触して発生する信号が発振器（ＯＳＣ）を駆動し、無線信号に変調されて電波を発信することを特徴とする魚信送受信装置。
【請求項２】
釣竿本体（１）に設けられたリール（８）の近傍にみち糸（３）が張架されたアーム（９）が設けられ、該アーム（９）は支点（１１）を挟んでみち糸と反対側の至端部（１０）にはアーム（９）の振動を感知するセンサＢ（ＳＮＣＢ）が設けられ、魚信が発生したときにみち糸（３）に生ずる引き張力により発生するアーム（９）の振動をセンサＢ（ＳＮＣＢ）が感知すると、発振器Ｂ（ＯＳＣＢ）にあらかじめあたえられた固有の符号に対応するパルスコード列にエンコードされ、無線周波数に変調されて電波を発信し、受信機は無線信号を受信して復調し、パルスコード列を符号はデコードされ、あらかじめ与えられた符号と一致したときのみ、釣り人に魚信信号を表示するごとくなされた請求項１記載の魚信送受信装置。
【発明の詳細な説明】
【発明の詳細な説明】
【技術分野】
【０００１】  この発明は、釣り糸に魚信があったとき、可聴信号または可視信号を釣り竿から離れたところにいる釣り人に表示する無線送受信装置に関するものである。
【背景技術】
【０００２】  従来の技術においては、釣り竿の先端に鈴を取り付け、魚信があると鈴の振動音で釣り人に知らせている。
【発明が解決しようとする課題】
【０００３】  これは次のような欠点があった。
イ．  鈴が大きいために仕掛けを投入する際などに、みち糸が鈴に絡むのを防ぐ必要があり、仕掛け投入後に毎回竿先に鈴を取り付ける必要があり、取り扱いが面倒であった。
ロ．  竿先に始めから鈴を取り付けておくと仕掛けの投入時に、みち糸がからんでしまう欠点があった。
ハ．  釣り人が遮蔽物の陰に隠れたり、釣竿から距離が離れたりまたは風上に位置していると鈴の音が聞こえない欠点があった。
ニ．  釣り場に複数の釣り人が、同様の鈴の技術を使って釣りを行っていると、鈴が鳴動したときに自他の区別がつかない欠点があった。
本発明は、以上の欠点を解決するためになされたものである。
【課題を解決するための手段】
【０００４】  上記目的を達成するために、釣竿本体（１）の任意の位置に取り付けられたセンサ（ＳＮＣ）が魚信を感知したときに、発振器（ＯＳＣ）が無線電波を発信し、受信機（ＲＥＣ）が該無線電波を受信したときに釣り人に可聴信号または可視信号を表示する魚信送受信装置において、センサ（ＳＮＣ）は台座（４）の中心部に垂直に固着された固定軸（５）を取り巻くように螺旋状の振動片（６）が設ける。魚信により振動片（６）が固定軸（５）と接触して発生する信号が発振器（ＯＳＣ）に伝達され発振器（ＯＳＣ）が無線電波を発生する。本発明は、以上の構成よりなる魚信送受信装置である。
【０００５】  請求項２においては、釣竿本体（１）に設けられたリール（８）の近傍にみち糸（３）が張架されたアー厶（９）が設ける。アーム（９）は支点（１１）を挟んでみち糸と反対側の至端部（１０）にはアーム（９）の振動を感知するセンサＢ（ＳＮＣＢ）が設けられる。魚が釣り針にかかり、魚信が発生したときにみち糸（３）に生ずる引き張力により発生するアーム（９）の振動をセンサＢ（ＳＮＣＢ）が感知すると、発振器Ｂ（ＯＳＣＢ）にあらかじめ与えられた固有の符号に対応するパルスコード列にエンコードされ、無線周波数に変調されて電波を発信する。受信機は無線信号を受信して復調し、パルスコード列を符号はデコードされ、あらかじめ与えられた符号と一致したときのみ、釣り人に魚信信号を表示する。
【発明を実施するための最良の形態】
【０００６】発明の実施の形態を実施例にもとづき図面を参照して説明する。図１ないし図４に示すものは、本発明の第１の実施例であって、センサ（ＳＮＣ）、発振器（ＯＳＣ）および受信機（ＲＥＣ）が３つの基本構成要素となっている。センサ（ＳＮＣ）は任意の位置に取り付けることができるが、魚信による振動を感知しやすい竿の穂先（２）またはみち糸の張力の変化で感知しやすいリール（８）の近傍に取り付けるのが効果的である。図１において釣竿本体（１）の穂先（２）の近傍にセンサ（ＳＮＣ）と電波を発信する発振器（ＯＳＣ）が一体となった送信機が取り付けられており、受信機（ＲＥＣ）は釣り人が所持している。【０００７】  図２にセンサ（ＳＮＣ）の実施例の構造図を示す。本実施例では台座（４）の中心部に垂直に導電性材質の固定軸（５）が固着され、固定軸（５）を取り巻くように螺旋状の導電性材質の振動片（６）を設け、魚信による振動が与えられると振動片（６）が振動して固定軸（５）と接触をすると、固定軸および振動片にそれぞれ接続されたリード線（７）に導通信号を形成する振動センサを構成している。振動片（６）の強度を弱くすると魚信に敏感に反応するが、波や風で誤動作する可能性を生ずる。一方振動片（６）の強度を強くすると魚信に対する反応は鈍くなるが、風や波による誤動作が防止され、魚信のみによって反応するように強度を設定することが可能である。【０００８】  本発明は以上のような構造であるが使用にあたっては、センサ（ＳＮＣ）は魚信を感知して、信号を発振器（ＯＳＣ）に伝達し、発振器（ＯＳＣ）は魚信信号を変調して無線電波を発振する。釣り人の所持する受信機（ＲＥＣ）がこの電波を受信するとこれをランプなどによる可視表示およびスピーカなどによる可聴表示により釣り人に、魚信を感知したことを表示する。電波は釣竿の近傍の空気中を伝播するので、釣り人がある程度はなれた場所あるいは遮蔽物の陰で待機していても魚信は的確に通報される。【０００９】  図３にセンサ（ＳＮＣ）および発振器（ＯＳＣ）により構成される送信機の１つの実施例の機能構成図を示す。センサ（ＳＮＣ）が魚信を感知するとパルス信号がモノマルチバイブレータ（２２）に与えられ、極小のパルスでも一定の幅のパルスに整形して電源オンオフ回路（２３）を起動し、低周波発信器（２４）および高周波発信器（２５）に電源を与え、低周波信号が高周波信号により変調されて送信アンテナ（２７）から電波が発信される。この場合発信する電波は電波法により許容される周波数帯および微弱な電界強度に押さえられ、近傍にあるテレビなどの電子機器に影響を与えないように、高調波の発生を抑える設計が行われる。【００１０】  図４に受信機（ＲＥＣ）の１つの実施例の機能構成図を示す。受信アンテナ（３１）により受信された電波は、超再生検波回路（３２）により特定の周波数が選択され、検波再生され、低周波増幅器（３３）および電力増幅器（３４）で増幅され、可聴式表示器（３５）および可視式表示器（３６）に与えられる。本実施例では可聴式表示器（３５）にはスピーカ（１７）が設けられ、低周波発信器（３４）で作られた周波数が復調され、可聴音としてスピーカ（１７）から聞こえ、可視式表示器（３���）には電力消費量の少ないＬＥＤランプ（１８）が設けられ、点灯して可視表示する。【００１１】  図５ないし図７に請求項２を説明する実施例の構造を示す。センサＢ（ＳＮＣＢ）および発振器Ｂ（ＯＳＣＢ）は任意の位置に取り付けることが可能であるが、本装置とみち糸が絡むことを防止するために、センサをリールの近傍に取り付けている。図５においては釣竿本体（１）に取り付けられたリール（８）の近傍にみち糸（３）が張架されるアーム（９）が設けられ、以下に詳細に説明するようにアーム（９）がセンサＢ（ＳＮＣＢ）と連動するような構造にする。【００１２】  図６にセンサＢ（ＳＮＣＢ）および発振器Ｂ（ＯＳＣＢ）で構成される送信機の構造を示す。アーム（９）は支点（１１）を挟んでみち糸と反対側の至端部（１０）はセンサＢ（ＳＮＣＢ）の可動軸（１２）に連結される。可動軸（１２）は上下左右方向または軸方向に振動が与えられると、スイッチがオンになる構造で、公知のマイクロスイッチ技術が用いられる。アーム（９）は支点（１１）を軸として上下方向に回転し、アーム至端部（１０）に連結されている可動軸（１２）が連結されているので、アーム（９）に張架されているみち糸（３）が魚信により引き張力が掛かると、アー厶（９）の先端部は下方向に引き押下され、みち糸と反対側のアーム至端部（１０）は支点（１１）を軸に上方向に押し上げられ、可動軸（１２）に振動が伝えられ、センサＢ（ＳＮＣＢ）が振動を感知する。【００１３】  本発明の請求項２の構造は以上のごとくであるが、使用にあたっては魚が釣り針に掛かってみち糸に発生する魚信信号をセンサＢ（ＳＮＣＢ）が感知して発振器Ｂ（ＯＳＣＢ）を駆動し、信号が無線周波数に変調されて電波が発信される。【００１４】  図７は請求項２の送信機の他の実施例の構造図を示すもので、アーム（９）の任意の位置に振動を感知するセンサ（ＳＮＣ）が取り付けられている。本実施例では、センサ（ＳＮＣ）は図２に示すセンサ（ＳＮＣ）と同じ技術が用いられ、魚信によりみち糸（６）が弛張するとアームが撓曲または振動し、センサ（ＳＮＣ）がこの振動を感知し、発振器Ｂ（ＯＳＣＢ）を駆動する。センサ（ＳＮＣ）の取り付け位置を支点（１１）の近傍に取り付けると魚信による振動の振幅が小さいのでセンサ（ＳＮＣ）の感度は低くなり、アー厶（９）の先端部に取り付ければ魚信による振動の振幅が大きくなりセンサ（ＳＮＣ）の感度が高くなるので、取り付け位置を変更することによりセンサ（ＳＮＣ）の感度を調整することができる。【００１５】  図７に示すように、振動に主として感知するセンサ（ＳＮＣ）および徐々に引く速度の遅い魚信をも感知するセンサＢ（ＳＮＣＢ）を併設することにより、あらゆるタイプの魚信を感知することが可能となる。【００１６】  図８および図１１に発振器Ｂ（ＯＳＣＢ）および受信機Ｂ（ＲＥＣＢ）の第２の実施例の機能構成図を示す。図７に示す構造のセンサ（ＳＮＣ）、センサＢ（ＳＮＣＢ）および発振器（ＯＳＣ）により構成される送信機の実施例をもとにして以下に説明する。図８に発振器Ｂの機能構成図を示す。センサ（ＳＮＣ）またはセンサＢ（ＳＮＣＢ）が魚信を感知するとパルス信号がデータエンコーダ（４２）に与えら���る。魚信送受信機にはあらかじめ固有の符号が付与される。本実施例では２の８乗、即ち２５６種類の異なる符号が準備され、各魚信送受信装置には固有の２進法８桁のパルスコード列符号が付与される。データエンコーダ（４２）は魚信のパルス信号を受信するとパルスコード列符号に変換して魚信信号が継続する間、連続して出力する。【００１７】  図９に公知の集積回路技術を使ったデータエンコーダ（４２）の実施例の回路図を示す。データーエンコーダ（４２）の１８番端子に直流電源（１９）の（＋）が、９番端子は（−）が与えられる。１番から８番端子はパルス列のパルスの有無、即ち０または１を指定することができる端子で、本実施例では３番端子と７番端子を接地することにより、“１，１，０，１，１，１，０，１”のパルス列が形成され、次に同期信号（ＳＹＮＣ）が付与される。１４番端子が起動端子で、魚信によりセンサ（１１，２１）がオンになると１４番端子に信号が与えられ、信号が与えられている間１７番端子からパルス列が連続して出力される。【００１８】  図１０にパルス列として“１，１，０，１，１，１，０，１，ＳＹＮＣ”の実施例を示す。図に示すごとく、長ブレークパルスに続く短パルスはパルス“１”を、短ブレークパルスに続く長パルスはパルス“０”を構成する。第１パルスコード列（１ＳＴ−Ｗ）に続く非常に長いブレークパルスおよび短パルスは同期信号（ＳＹＮＣ）を構成する。【００１９】  一人の釣り人が複数の釣竿を使用し、複数の送信機を使用するときは、送信機に同一の符号を与えて、回路を設定すれば、１台の受信機Ｂ（ＲＥＣＢ）が複数の送信機から発信される信号を受信することができる。パルス符号列は本実施例では２５６種類存在するので、同一の魚信送受信技術を用いている複数の釣り人が近傍に存在しても、同一の固有の符号が他の釣り人に付与され、他の釣り人の魚信を誤って受信する機会は極めて小さい。万一同一の符号が付与されたときは、釣り人同士がお互いに話し合うことにより、符号の設定を変更することが可能である。同期信号（ＳＹＮＣ）に続くパルスコード列は第２のパルスコード列（２ＮＤ−Ｗ）と認識される。このように魚信信号を受信している間、連続してパルスコード列が送信される。【００２０】  図１１に受信機（ＲＥＣ）の第２の実施例の機能構成図を示す。受信アンテナ（５１）により受信された電波は、高周波増幅器（５２）で増幅され、超再生回路（５３）により特定の周波数が選択され、検波再生され、波形整形回路（５４）によりパルスの波形が整形され、データでコーダ（５５）に与えられる。【００２１】  データデコーダ（５５）はパルスコード列を符号にデコードし、あらかじめ付与された固有の符号と一致したとき、１７番端子から信号が出力される。パルスコード列は、同期信号（ＳＹＮＣ）に続く同一配列のパルス列が、一定回数以上、たとえば２回以上連続して検知されたときに正しい信号と認知して信号を出力する。このことにより、誤信号を受信して誤動作することを防止する。このように受信された電波信号が、あらかじめ与えられた符号と一致したときのみ魚信信号として認知するものである。【００２２】  データデコーダ（５５）から信号が出力されると、���ノマルチバイブレータ（５６）で一定のパルス幅に整形され、低周波発信器（５７）を起動して可聴信号を発振し、電力増幅器（５８）で増幅され、可聴式表示器（５９）および可視式表示器（６０）に与えられる。本実施例では可聴式表示器（５９）はスピーカ（１７）が設けられ、低周波発信器（５７）で作られた周波数が可聴音としてスピーカから聞こえ、可視式表示器（５６）にはＬＥＤランプ（１８）が設けられ点灯して可視表示する。
【発明の効果】
【００２３】  本発明は、以上説明したように構成されているので、以下に記載されるような効果を奏する。
【００２４】  センサを具備する発信機と受信機が機能分担をすることにより、釣竿本体に取り付ける装置は簡略化され小型化されるので、仕掛け投入時にみち糸が絡むことが避けられ、仕掛けを投入する度に発信機を着脱する必要がない。
【００２５】  無線電波を使用することにより、電波が届く範囲であれば、釣り人は自由に動き回ることができるようになり、待機する位置が自由になる。
【００２６】  固有の符号を魚信送受信装置に付与し、その符号信号を送信することにより、同一の技術を使った複数人の釣り人が近傍にいても、自己の釣竿の魚信信号のみが表示され他の釣り人の魚信と区別がされる。
【図面の簡単な説明】
【図１】本発明の第１の実施例の斜視図
【図２】センサの実施例の斜視図
【図３】送信機の実施例の機能構成図
【図４】受信機の実施例の機能構成図
【図５】本発明の第２の実施例の斜視図
【図６】センサＢおよび発振器Ｂで構成する送信機０の実施例の斜視図
【図７】送信機の他の実施例の斜視図
【図８】送信機の他の実施例の機能構成図
【図９】データエンコーダの実施例の回路図
【図１０】固有の符号のパルス列構成図
【図１１】受信機Ｂの実施例の機能構成図
【符号の説明】
ＯＳＣ    発振器
ＯＳＣＢ  発振器Ｂ
ＲＥＣ    受信機
ＲＥＣＢ  受信機Ｂ
ＳＮＣ    センサ
ＳＮＣＢ  センサＢ
ＳＹＮＣ  同期信号
１    釣竿本体
２    穂先
３    みち糸
４    台座
５    固定軸
６    振動片
７    リード線
８    リール
９    アーム
１０  アーム至端部
１１  支点
１２  可動軸
１７  スピーカ
１８  ＬＥＤランプ
１９  直流電源
２２，５６  モノマルチバイブレータ
２３  電源オンオフ回路
２４，５７  低周波発振器
２５，４３  高周波発振器
２７，４４  送信アンテナ
３１，５１  受信アンテナ
３２，５３  超再生検波回路
３３  低周波増幅器
３４，５８  電力増幅器
３５，５９  可聴式表示器
３６，６０  可視式表示器
４２  データエンコーダ
５２  高周波増幅器
５４  波形整形回路
５５  データデコーダ
【図１】
2005058197.tif 000003
【図２】
2005058197.tif 000004
【図３】
2005058197.tif 000005
【図４】
2005058197.tif 000006
【図５】
2005058197.tif 000007
【図６】
2005058197.tif 000008
【図７】
2005058197.tif 000009
【図８】
2005058197.tif 000010
【図９】
2005058197.tif 000011
【図１０】
2005058197.tif 000012
【図１１】
2005058197.tif 000013